(57)【要約】【課題】装着操作を適切に行うことができる吸収性物品を提供する。【解決手段】吸収性物品（１０）は、互いに直交する長手方向（Ｌ）及び幅方向（Ｗ）と、吸収コア（５０）と、吸収性物品の肌面側から視認可能な目印部（２０）と、展開状態における吸収性物品の肌面どうしが当接するように吸収性物品を折り畳むための折り線（ＦＬ１）と、を有する。目印部は、着用者の身体に対する位置合わせ用の身体合わせ部（２０Ｐ）を有する。身体合わせ部は、身体の形状を示すデザインを有する。身体合わせ部の少なくとも一部は、展開状態において、折り線と直交する直交方向における、吸収性物品の外縁から、吸収性物品の外縁と折り線の距離の２倍までの所定領域に配置されている。【選択図】  図２
2020116454.tif 000002
【特許請求の範囲】
【請求項１】
互いに直交する長手方向及び幅方向と、
吸収性物品の肌面側から視認可能な目印部と、
展開状態における吸収性物品の肌面どうしが当接するように前記吸収性物品を折り畳むための折り線と、を有する、吸収性物品であって、
前記目印部は、着用者の身体に対する位置合わせ用の身体合わせ部を有し、
前記身体合わせ部は、身体の形状を示すデザインを有し、
前記身体合わせ部の少なくとも一部は、前記展開状態において、前記折り線と直交する直交方向における、前記吸収性物品の外縁から、前記吸収性物品の外縁と前記折り線の距離の２倍までの所定領域に配置されている、吸収性物品。
【請求項２】
前記目印部は、装着操作を説明するための文字表示部を更に備え、
前記身体合わせ部の少なくとも一部及び前記文字表示部の少なくとも一部は、前記所定領域に配置されている、請求項１に記載の吸収性物品。
【請求項３】
前記目印部は、他の吸収性物品に対する位置合わせ用の物品合わせ部を更に備え、
前記身体合わせ部の前記長手方向の中心及び前記物品合わせ部の前記長手方向の中心は、前記吸収性物品の前記長手方向の中心に対して前記長手方向にずれている、請求項１又は請求項２に記載の吸収性物品。
【請求項４】
前記目印部は、他の吸収性物品に対する位置合わせ用の物品合わせ部を更に備え、
前記物品合わせ部の少なくとも一部及び前記身体合わせ部の少なくとも一部は、前記吸収性物品の前記長手方向の中心よりも後側に配置されている、請求項１から請求項３のいずれか１項に記載の吸収性物品。
【発明の詳細な説明】
【技術分野】
【０００１】
本発明は、使い捨ておむつのような吸収性物品に関する。
【背景技術】
【０００２】
使い捨ておむつのような吸収性物品は、着用者の適切な位置で装着されることにより、体液の吸収や漏れの抑制等の吸収性物品の機能を十分に発揮できるように構成されている。着用者の適切な位置で装着するための目印部を備えた吸収性物品が提供されている（特許文献１）。特許文献１の吸収性物品の目印部は、裏面シートに印刷されており、肌面側から視認可能に構成されている。
【先行技術文献】
【特許文献】
【０００３】
【特許文献１】特開２０１４−１４４０５０号公報
【発明の概要】
【０００４】
吸収性物品は、コンパクトに収納するために、折り畳まれた状態で収納されているものがある。折り畳まれた吸収性物品を使用する際は、吸収性物品を展開した展開状態で着用者に装着する。しかし、装着補助者は、吸収性物品が部分的に折り畳まれた状態で目印部を視認すると、吸収性物品を展開する前に目印部によって位置合わせを行うことがある。よって、本来展開状態で装着する吸収性物品が、折り畳まれた状態で装着されたり、装着操作をやり直したりして、装着操作を適切に行うことができないおそれがある。
【０００５】
そこで、装着操作を適切に行うことができる吸収性物品が望まれる。
【課題を解決するための手段】
【０００６】
一態様に係る吸収性物品は、互いに直交する長手方向及び幅方向と、吸収性物品の肌面側から視認可能な目印部と、展開状態における吸収性物品の肌面どうしが当接するように前記吸収性物品を折り畳むための折り線と、を有する、吸収性物品であって、前記目印部の少なくとも一部は、前記展開状態において、前記折り線と直交する直交方向における、前記吸収性物品の外縁から、前記吸収性物品の外縁と前記折り線の距離の２倍までの所定領域に配置されている。
【０００７】
他の態様に係る吸収性物品は、互いに直交する長手方向及び幅方向と、吸収性物品の肌面側から視認可能な目印部と、展開状態における吸収性物品の肌面どうしが当接するように前記吸収性物品を折り畳むための折り線と、を有する、吸収性物品であって、前記折り線によって折り畳まれ、かつ前記吸収性物品の伸長状態において、前記目印部の少なくとも一部は、前記折り線によって折られた折り領域によって覆われている。
【図面の簡単な説明】
【０００８】
【図１】実施形態に係る吸収性物品の肌面側から見た平面図である。
【図２】吸収性物品の折り畳み態様を説明するための図である。
【図３】吸収性物品の所定領域を示した吸収性物品の平面図である。
【図４】実施形態に係る吸収性物品の装着状態を説明するための図である。
【発明を実施するための形態】
【０００９】
（１）実施形態の概要
本明細書及び添付図面の記載により、少なくとも以下の事項が明らかとなる。
一態様に係る吸収性物品は、互いに直交する長手方向及び幅方向と、  吸収性物品の肌面側から視認可能な目印部と、  吸収性物品の肌面どうしが当接するように前記吸収性物品を折り畳むための折り線と、を有する、吸収性物品であって、  前記目印部の少なくとも一部は、前記吸収性物品の展開状態において、前記折り線と直交する直交方向における、前記吸収性物品の外縁から、前記吸収性物品の外縁と前記折り線の距離の２倍までの所定領域に配置されている。
【００１０】
所定領域は、折り線と直交する直交方向において、前記吸収性物品の外縁から、吸収性物品の外縁と折り線の距離の２倍までの領域であり、折り線によって折られた部分又は折られた部分によって覆われ部分である。目印部の少なくとも一部が所定領域内に配置されているため、装着補助者は、折り線によって折り畳まれた状態で目印部全体を視認し難く、展開状態で目印部全体を視認しやすくなる。装着補助者は、吸収性物品が部分的に折り畳まれた状態のままで目印部を利用するという誤った使い方をせず、装着操作を適切に行うことができる。
【００１１】
好ましい一態様によれば、前記目印部は、装着操作の順序を示す順序表示部を有し、前記順序表示部は、所定領域に配置されている。  
【００１２】
本態様によれば、装着補助者は、順序表示部によって装着操作の順序を把握できる。装着補助者は、展開状態で装着操作の順序を把握するため、装着操作を適切な順序で行い易い。
【００１３】
好ましい一態様によれば、互いに直交する長手方向及び幅方向と、吸収性物品の肌面側から視認可能な目印部と、展開状態における吸収性物品の肌面どうしが当接するように前記吸収性物品を折り畳むための折り線と、を有する、吸収性物品であって、前記折り線によって折り畳まれ、かつ前記吸収性物品の伸長状態において、前記目印部の少なくとも一部は、前記折り線によって折られた折り領域によって覆われている。
【００１４】
装着補助者は、折り線によって折り畳まれた状態で目印部全体を視認し難く、展開状態で目印部全体を視認しやすくなる。装着補助者は、吸収性物品が部分的に折り畳まれた状態のままで目印部を利用するという誤った使い方をせず、装着操作を適切に行うことができる。
【００１５】
好ましい一態様によれば、前記目印部は、前記展開状態において、前記折り線よりも前記吸収性物品の外縁側に配置されている。
【００１６】
折り線よりも前記吸収性物品の外縁側の領域は、折り線によって折り畳まれた際に折られる領域である。当該領域に配置された目印部は、当該領域がめくれてない状態では視認され難い。よって、目印部が吸収性物品の展開状態まで視認され難くなり、展開状態において適切なタイミングで装着操作を促すことができる。
【００１７】
好ましい一態様によれば、吸収コアを有し、前記折り線の少なくとも一部は、前記吸収コアと重なる領域に配置されている。
【００１８】
本態様によれば、折り線の少なくとも一部が吸収コアと重なる領域であるため、折り線による折り癖が付きやすい。よって、折り線によって折られた部分の一部が意図せずに展開することを抑制できる。折り畳み状態から展開状態に至るまでの過程で目印部を視認し難くすることができ、吸収性物品の装着操作を適切に行い易くなる。
【００１９】
好ましい一態様によれば、前記目印部は、装着操作の順序を示す順序表示部を有し、前記順序表示部は、１番目を示す第１順序表示部と、２番目を示す第２順序表示部と、を有し、前記第１順序表示部は、前記展開状態において、前記折り線よりも前記吸収性物品の内側に配置されており、前記第２順序表示部は、前記展開状態において、前記折り線よりも前記吸収性物品の外縁側に配置されている。
【００２０】
本態様によれば、所定領域内における折り線よりも吸収性物品の内側の領域は、折られた部分によって覆われる部分である。第１順序表示部は、肌面側に向いており、折られた部分が意図せずにめくれた際に視認され易い。しかし、装着補助者は、意図せずに第１順序表示部を視認しても、最初の操作順序を把握することとなり、操作順序の間違いが生じ難い。また、所定領域内における折り線よりも吸収性物品の外側の領域は、折り線によって折られた部分である。第２順序表示部は、折り畳まれた状態で非肌面側に向おいており、折られた部分がめくれてない状態では視認され難い。すなわち、第１順序表示部よりも第２順序表示部が視認し難く構成されているため、装着補助者は、操作順序を適切に把握し易くなる。
【００２１】
好ましい一態様によれば、前記目印部は、前記第１順序表示部を含む第１目印部と、前記第２順序表示部を含む第２目印部と、を有し、前記第１目印部は、他の吸収性物品に対する位置合わせ用の物品合わせ部を有し、前記第２目印部は、着用者の身体に対する位置合わせ用の身体合わせ部を有する。
【００２２】
本態様によれば、物品合わせ部によって他の吸収性物品に対する適切な位置で配置でき、身体合わせ部によって着用者の適切な位置で配置できる。他の吸収性物品に対する適切な位置で配置する操作を促した後に、身体に対する位置を合わせる操作を促すことができ、適切な順序での装着操作を促すことができる。
【００２３】
好ましい一態様によれば、前記目印部は、他の吸収性物品に対する位置合わせ用の物品合わせ部を有し、前記物品合わせ部の前記長手方向の中心は、前記吸収性物品の長手方向の中心に対して長手方向にずれている。
【００２４】
本態様によれば、物品合わせ部によって他の吸収性物品に対する適切な位置で配置できる。また、物品合わせ部が吸収性物品の長手方向の中心に対して長手方向にずれているため、物品合わせ部によって吸収性物品の長手方向の向きを把握し易い。装着補助者は、装着向きを間違えることなく、適切かつスムーズに装着操作を行うことができる。
【００２５】
好ましい一態様によれば、前記折り線は、前記長手方向に沿い、かつ前記幅方向に間隔を空けて一対で配置されており、前記吸収性物品は、前記折り線によって折り畳まれた後に、前記幅方向に沿い、かつ前記長手方向に間隔を空けて配置された第１幅折り線及び第２幅折り線によって折り畳まれており、前記第１幅折り線によって折り畳まれ、かつ前記第２幅折り線を基点に展開した状態において、前記目印部は、前記第１幅折り線によって折られた部分によって覆われている。
【００２６】
折り畳まれた状態の吸収性物品を展開する過程では、第１幅折り線によって折り畳まれ、かつ第２幅折り線を基点に展開した状態となる。この状態において、目印部は、第１幅折り線によって折り畳まれた部分によって覆われ、装着補助者によって視認され難い。よって、展開する過程において、装着補助者が誤って装着操作を開始することを抑制できる。装着補助者は、展開状態で吸収性物品の装着操作を行い易く、折り畳まれた状態で装着されたり、装着操作をやり直したりする不具合を抑制し、装着操作を適切に行うことができる。
【００２７】
好ましい一態様によれば、前記目印部は、他の吸収性物品に対する位置合わせ用の物品合わせ部を有し、前記物品合わせ部の長手方向の中心は、前記第１幅折り線と前記第２幅折り線との長手方向の中心に対して長手方向にずれている。  
【００２８】
本態様によれば、展開状態の吸収性物品には、第１幅折り線と第２幅折り線による折り癖が形成される。装着補助者は、２つの幅折り線に基づいて吸収性物品の全体の向きを確認できる。このとき、物品合わせ部が、第１幅折り線と第２幅折り線との長手方向の中心に対して長手方向にずれているため、物品合わせ部によって吸収性物品の長手方向の向きを把握し易い。装着補助者は、装着向きを間違えることなく、適切かつスムーズに装着操作を行うことができる。
【００２９】
好ましい一態様によれば、前記折り線は、前記幅方向に沿い、かつ前記長手方向に間隔を空けて一対で配置されており、前記目印部は、装着操作の順序を示す順序表示部を有し、前記順序表示部は、１番目を示す第１順序表示部を有し、前記一対の折り線の一方によって折り畳まれ、他方を基点に展開した状態において、前記第１順序表示部は、前記一方の折り線によって折られた部分によって覆われている。
【００３０】
本態様によれば、一方の折り線によって折り畳まれ、他方を基点に展開した状態、すなわち展開状態まで展開してない状態において、第１順序表示部は、覆われており、視認され難い。装着補助者は、最初の操作順序を把握できず、装着操作を行わずに、展開操作を継続し易い。装着補助者は、展開状態で第１順序表示部を視認し、操作を開始し易くなる。
【００３１】
（２）吸収性物品の全体概略構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３２】
図１は、着用者の肌に面する肌面側から見た吸収性物品の平面図であり、図１は、吸収性物品１０を構成するシートの皺がなくなる状態まで吸収性物品を伸長させた状態の図である。
【００３３】
本実施形態に係る吸収性物品は、例えば介護者のような装着補助者が要介護者のような着用者に装着させるタイプのものであることが好ましい。特に、本実施形態に係る吸収性物品は、大人用の使い捨ておむつであることが好ましい。
【００３４】
吸収性物品１０は、着用者の身体前側と身体後側とに延びる長手方向Ｌと、長手方向Ｌに直交する幅方向Ｗと、長手方向Ｌ及び幅方向Ｗに直交する厚み方向と、を有する。また、本明細書において、「肌面側」は、使用中に着用者の肌に面する側に相当する。「非肌面側」は、使用中に着用者の肌とは反対に向けられる側に相当する。  
【００３５】
吸収性物品１０は、前胴回り域Ｓ１と、後胴回り域Ｓ２と、股下域Ｓ３と、を有する。前胴回り域Ｓ１は、使用時に着用者の身体前側に面する。後胴回り域Ｓ２は、使用時に着用者の身体後側に面する。股下域Ｓ３は、前胴回り域Ｓ１と後胴回り域Ｓ２との間に位置し、使用時に着用者の股下に配置される。股下域Ｓ３は、脚回り開口部６５が設けられた領域であり、前胴回り域Ｓ１と股下域Ｓ３との境界は、脚回り開口部６５の前端縁によって規定され、後胴回り域Ｓ２と股下域Ｓ３との境界は、脚回り開口部６５の後端縁によって規定されてよい。
【００３６】
吸収性物品１０は、少なくとも股下域Ｓ３に配置された吸収コア５０を有する。吸収コア５０は、股下域Ｓ３から前胴回り域Ｓ１及び後胴回り域Ｓ２へ延びていてよい。吸収コア５０は、例えば粉砕パルプもしくは高吸収性ポリマー（ＳＡＰ）、又はこれらの混合物を含む吸収性材料の積層体であってよい。吸収性物品は、吸収コア５０と、図示しないコアラップと、を含む吸収体を有してよい。コアラップは、吸収コア５０を覆うように配置され、例えば、ティッシュや不織布シートであってよい。
【００３７】
吸収性物品１０は、吸収コア５０の肌面側に位置する肌面シート４１と、吸収コア５０の非肌面側に位置する非肌面シート４２と、を有してよい。肌面シート４１は、トップシート４１ａと、サイドシート４１ｂと、を有してよい。トップシート４１ａは、液透過性を有し、吸収コア５０の少なくとも幅方向の中心を覆うように配置されてよい。サイドシートは、疎水性を有する不織布からなり、吸収コアの幅方向の中心よりも幅方向の外側において、幅方向Ｗにおける肌面シートの両側部を覆うように配置されてよい。非肌面シート４２は、液不透過性を有し、吸収コア５０よりも非肌面側に設けられてよい。非肌面シート４２は、液不透過性のバックフィルムと、バックフィルムの非肌面側に配置されたバック不織布と、を有してよい。
【００３８】
吸収性物品１０は、防漏ギャザーを構成する防漏伸縮性部材５１と、脚回り開口部に配置される脚回り伸縮性部材５２と、を有してよい。防漏伸縮性部材５１及び脚回り伸縮性部材５２は、伸縮性部材を構成する。防漏伸縮性部材５１は、サイドシート４１ｂの内側縁に配置されており、サイドシート４１ｂの内側縁を着用者側に起立させる。脚回り伸縮性部材５２は、脚回り開口部６５に沿って配置されており、脚回り開口部６５を着用者の脚回りにフィットさせる。
【００３９】
吸収性物品１０は、後胴回り域Ｓ２の幅方向Ｗの両外側部に設けられたファスニングテープ９４を有してよい。ファスニングテープ９４は、前胴回り域Ｓ１に係合する係合部９６を有してよい。
【００４０】
吸収性物品１０は、着用者の適切な位置で吸収性物品を装着するための目印部２０を有する。目印部２０は、吸収性物品１０の肌面側から視認可能である。本実施の形態における視認可能な目印部とは、目視にて認識な目印部である。具体的には、例えば、*a*b*表色系において、目印部に隣接する周囲に対する色差ΔＥが８以上の目印部は、視認可能な目印部である。
【００４１】
目印部２０は、吸収性物品の印刷に適用可能な油性のインクを用い、通常用いられる染料や顔料等有機溶剤や油系の溶剤等、界面活性剤等が含有されたものを用いることができる。印刷方法としては、各種公知の印刷方法を特に制限無く用いることができる。また、目印部は、着色されたホットメルト型接着剤であってもよい。目印部２０は、サイドシート４１ｂの非肌面側に設けられていてよい。疎水性を有するサイドシートの非肌面側に目印部２０を配置することにより、目印部２０を構成するインク等が反対面側に透過し難く、目印部２０が肌に付着することを防止できるとともに、目印部２０のデザインの劣化などを防いでデザインを維持し易い。目印部２０が、トップシート４１ａに配置されず、サイドシート４１ｂに配置されている構成によれば、目印部２０が液透過性に影響する物質で構成される場合においても、トップシート４１ａの液透過性を確保し易い。また、テープタイプのおむつ等サイドシートを有しない吸収性物品にあっては、目印部２０は、トップシート４１ａの非肌対向面側において吸収コア５０よりも幅方向の外側に配置されてよく、より好適には、脚回り伸縮性部材５２近傍に配置されることが好ましい。吸収コア５０よりも幅方向の外側の領域、特に脚回り伸縮性部材５２近傍の領域は、排泄物が排泄されるポイントから離れており、デザインの視認性を確保し易い。加えて、吸収パッドを重ねて使用する場合において、吸収コア５０よりも幅方向の外側の領域は、吸収パッドによって覆われ難い。よって、目印部２０の視認性を確保し易い。
【００４２】
目印部２０は、吸収性物品１０の肌面側から視認可能に構成されていればよく、肌面シート４１に設けられていてもよいし、肌面シート４１を介して視認できるように吸収コア５０に設けられていてもよい。
【００４３】
目印部２０は、平面視にて間隔を空けて複数設けられていてもよいし、少なくとも一部が重なるように複数設けられていてもよいし、それぞれ１個ずつ設けられていてもよい。目印部２０は、視認性を確保する観点から１ｍｍ以上２０ｃｍ未満であってよく、より好適には、１ｃｍ以上１０ｃｍ未満であってよい。交換などの装着時に装着補助者の目と吸収性物品の目印部との距離は、一般的に３０ｃｍ程度離れる。目印部２０の寸法が１ｃｍ未満であると、装着補助者によっては目印部を見難く、絵柄と勘違いし、円滑な操作を促せないおそれがある。また、目印部の寸法が１０ｃｍ以上であると、左右一対で設けた際に、排泄物が排泄されるポイントに目印部が重なり、視認性を確保できなかったり、吸収性能を確保できなかったりするおそれがある。なお、目印部の寸法は、第１目印部２１、第２目印部２２、及び第３目印部２３のそれぞれの伸長状態における寸法である。例えば、第１目印部２１の寸法は、後述する順序表示部、位置表示部、及び文字表示部を含む全体の寸法である。
【００４４】
目印部２０の少なくとも一部は、平面視にて吸収コア５０と重なる領域に配置されてよい。目印部２０の一部とは、第１目印部２１から第３目印部２３のうちいずれかの目印部における一部分である。吸収コア５０と重なる目印部２０は、吸収コア５０を挟んだ反対面側から視認し難くなる。そのため、装着補助者が吸収性物品の非肌面側から視認した際に、目印部２０を把握し難い。装着補助者は、肌面側から吸収性物品を視認した際に目印部２０を把握し、適切なタイミングで装着操作を行うことができる。なお、本実施の形態における視認し難い目印部とは、目視にて認識不可能又は認識し難い目印部である。具体的には、例えば、*a*b*表色系において、目印部に隣接する周囲に対する色差ΔＥが４未満の目印部は、視認不可能又は視認し難い目印部である。より好適には、周囲に対する色差ΔＥが３．２未満の目印部は、目視にて認識できないものである。
【００４５】
目印部２０は、非肌面シートのバックフィルムと重なっていてよい。目印部２０がバックフィルムと重なるため、バックフィルムを挟んだ反対面側から視認し難くなる。本実施の形態では、吸収コアと重ならない領域に配置された目印部２０がバックフィルムに重なって配置されている。目印部２０は、吸収コア５０又はバックフィルムによって反対面側から視認し難くなる。装着補助者は、肌面側から吸収性物品を視認した際に目印部２０を把握し、適切なタイミングで装着操作を行うことができる。
【００４６】
目印部２０は、第１目印部２１と、第２目印部２２と、第３目印部２３と、を有してよい。第１目印部２１、第２目印部２２、及び第３目印部２３のそれぞれは、吸収性物品の幅方向の中心を軸として対称に一対で配置されてよい。なお、目印部は、吸収性物品の幅方向の中心に対する一方側のみに配置されてもよい。目印部は、吸収性物品の幅方向の中心に対する一方側のみの目印部によって、吸収性物品の幅方向の中心に対する他方側を視認することなく操作できるように構成されていることが好ましい。具体的には、吸収性物品の幅方向の中心に対する一方側に、肌面側における全ての操作を促すための目印部（第１目印部２１、第２目印部２２、及び第３目印部２３）を設けてよい。このような構成によれば、装着補助者が装着者の身体の一方の側面のみを視認して操作を行うことができ、装着者の両側面を視認して操作を行う構成と比較して、操作性を向上できる。
【００４７】
目印部２０は、伸縮性部材と重ならない領域に配置されてよい。吸収性物品１０に外力をかけていない（吸収性物品を伸ばしていない）自然状態では、伸縮性部材が収縮し、伸長状態と比較して吸収性物品の平面全体を視認し難いことがある。しかし、伸縮性部材と重ならない領域に配置された目印部２０は、伸縮性部材が収縮した際にも視認性を確保しやすい。装着補助者が当該目印部を容易に認識でき、スムーズかつ適切に装着操作を行うことができる。
【００４８】
目印部２０は、装着操作の順序を指標する順序表示部２０Ｎと、装着位置を指標する位置表示部と、装着操作を説明するための文字表示部２０Ｃと、の少なくともいずれかを有してよい。順序表示部２０Ｎは、装着の順序を指標する表示であり、例えば、数字によって順序を示してよい。位置表示部は、身体に対して位置を合わせるための身体合わせ部２０Ｐと、他の吸収性物品に対して位置を合わせるための物品合わせ部２０Ｑと、の少なくともいずれかを有してよい。位置表示部は、位置を視認できるものでよく、その形状は、棒線・楕円・点線・矢印・身体の形状を示すデザイン（臀部のデザイン）を例示できる。文字表示部２０Ｃは、装着操作を説明する表示であり、文字を含んでよい。文字表示部２０Ｃに含まれる文字数は、人間が瞬間的に認識できる１３文字以下が好ましい。
【００４９】
第１目印部２１は、股下域Ｓ３に配置され、吸収性物品の長手方向Ｌの中心を跨いで配置されてよい。第１目印部２１は、装着操作の順序が１番目であることを示す順序表示部２０Ｎと、パッドの位置を示す物品合わせ部２０Ｑと、パッドの位置を示すことを説明するための文字表示部２０Ｃと、を有してよい。第２目印部２２は、後胴回り域Ｓ２に配置されてよい。第２目印部２２は、装着操作の順序が２番目であることを示す順序表示部２０Ｎと、背部に対する位置を示す身体合わせ部２０Ｐと、を有してよい。第３目印部２３は、前胴回り域Ｓ１に配置されてよい。第３目印部２３は、装着操作の順序が３番目であることを示す順序表示部２０Ｎと、腹部にする位置を示す身体合わせ部２０Ｐと、を有してよい。
【００５０】
目印部２０が、装着操作の順序を示す順序表示部２０Ｎを有することにより、装着補助者は、順序表示部２０Ｎによって装着操作の順序を把握できる。順序表示部２０Ｎは、吸収コア５０に重なる領域に配置されてよい。順序表示部２０Ｎは、吸収コア５０を挟んだ反対面側から視認し難くなる。装着補助者は、反対面側の順序表示部２０Ｎを把握し難く、反対面側の順序表示部を含む目印部２０による位置合わせを行うことなく、適した順序表示部２０Ｎを含む目印部２０による位置合わせを行い易い。
【００５１】
目印部２０は、身体合わせ部２０Ｐと物品合わせ部２０Ｑとを有してよい。物品合わせ部２０Ｑによって他の吸収性物品に対する適切な位置で配置でき、身体合わせ部２０Ｐによって着用者の適切な位置で配置できる。
【００５２】
次いで、吸収性物品の折り畳み態様について説明する。吸収性物品は、パッケージに収納されている状態、すなわち使用前の状態で折り畳まれている。図２は、吸収性物品の折り畳み態様を説明するための図である。図２（ａ）は、展開状態の吸収性物品を示す。吸収性物品は、展開状態において吸収性物品の肌面どうしが当接するように吸収性物品を折り畳むための折り線ＦＬ１を有する。折り線ＦＬ１は、展開状態の吸収性物品を折り畳むための折り線である。ここで、展開状態は、吸収コアが覆われていない状態であり、例えば、図２（ａ）に示すように、ファスニングテープが折られた状態であってもよいし、他
の折り線によって折られているが、当該折られた部分によって吸収コア５０が覆われていない状態であってもよい。なお、折り線ＦＬ１は、長手方向Ｌに沿って設けられてもよいし、幅方向Ｗに沿って設けられていてもよい。また、折り線ＦＬ１は、一対でなく、１本のみであってもよい。本実施の形態の折り線ＦＬ１は、長手方向に沿っており、幅方向に間隔を空けて一対で設けられている。折り線ＦＬ１は、吸収性物品が折り畳まれた状態における折り目によって規定できる。具体的には、吸収性物品が折り畳まれた状態で折り線ＦＬ１による折り目が吸収性物品の非肌面に形成される。この折り目の頂点（断面形状が曲線形状の場合には、曲線の頂点）に印を付し、非肌面側の折り線ＦＬ１は、印部分であり、非肌面側の折り線ＦＬ１は、印を透かして見た位置である。
【００５３】
図２（ｂ）は、一対の折り線ＦＬ１によって折り畳まれた伸長状態の吸収性物品を示す。一対の折り線ＦＬ１によって折り畳まれた状態において、吸収性物品の所定領域ＰＲは、肌面側から視認され難く構成されている。所定領域ＰＲは、折り線と直交する直交方向における、吸収性物品の外縁から、吸収性物品の外縁と折り線ＦＬ１の距離の２倍までの領域である。図３において、所定領域ＰＲを示す。本実施の形態のように折り線が長手方向に沿っている場合にあっては、所定領域ＰＲは、幅方向における、吸収性物品の外側縁から、吸収性物品の外側縁と折り線ＦＬ１の距離の２倍までの領域である。これに代えて折り線ＦＬ１が幅方向Ｗに沿っている場合にあっては、所定領域ＰＲは、長手方向における、吸収性物品の前端縁（又は後端縁）から、吸収性物品の前端縁（又は後端縁）と折り線ＦＬ１の距離の２倍までの領域である。所定領域ＰＲは、折り線ＦＬ１によって折り畳まれた状態で、折られた折り領域ＦＲと、折り領域ＦＲによって覆われた被覆領域ＣＲと、を合わせた領域である。折り領域ＦＲは、折り線ＦＬ１と吸収性物品の外縁との間の領域である。被覆領域ＣＲは、折り線ＦＬ１から、折り領域ＦＲ分だけ内側に延びた領域である。
【００５４】
吸収性物品１０は、図２（ｂ）に示す状態において、第１幅折り線ＦＷ１によって折り畳まれ、次いで、第２幅折り線ＦＷ２によって折り畳まれる。図２（ｃ）は、第１幅折り線ＦＷ１によって折り畳まれ、第２幅折り線によって折り畳まれていない状態であり、図２（ｄ）は、第１幅折り線ＦＷ１及び第２幅折り線ＦＷ２によって折り畳まれた状態である。第１幅折り線ＦＷ１及び第２幅折り線ＦＷ２は、幅方向に沿い、かつ長手方向に間隔を空けて配置されている。
【００５５】
使用前の吸収性物品は、折り線ＦＬ１、第１幅折り線ＦＷ１及び第２幅折り線ＦＷ２によって折り畳まれた状態であり、装着補助者は、折り畳まれた状態の吸収性物品を展開状態まで展開した後に着用者に対して装着することが好ましい。しかし、吸収性物品が複数回折り畳まれていると、展開状態まで展開する前に装着操作を始めてしまい、本来展開状態で装着する吸収性物品が、部分的に折り畳まれた状態で装着されたり、装着操作をやり直したりして、装着操作を適切かつスムーズに行うことができないおそれがある。このよう装着操作の不具合を抑制するために、目印部の少なくとも一部は、所定領域ＰＲに配置されてよい。目印部２０の少なくとも一部が所定領域ＰＲ内に配置されているため、装着補助者は、折り線ＦＬ１によって折り畳まれた状態で目印部２０全体を視認し難く、展開状態で目印部２０全体を視認しやすくなる。装着補助者は、吸収性物品が部分的に折り畳まれた状態のままで目印部２０を利用するという誤った使い方をせず、装着操作を適切に行うことができる。
【００５６】
図２（ｂ）に示す状態、すなわち折り線ＦＬ１によって折り畳まれた伸長状態において、目印部２０の少なくとも一部は、折り領域ＦＲによって覆われてよい。装着補助者は、折り線ＦＬ１によって折り畳まれた状態で目印部２０全体を視認し難く、展開状態で目印部２０全体を視認しやすくなる。装着補助者は、吸収性物品１０が部分的に折り畳まれた状態のままで目印部２０を利用するという誤った使い方をせず、装着操作を適切に行うことができる。
【００５７】
また、第１幅折り線ＦＷ１によって折り畳まれ、かつ第２幅折り線ＦＷ２を基点に折り畳まれていない（図２（ｃ）に示す）状態において、目印部２０は、第１幅折り線ＦＷ１によって折られた部分によって覆われてよい。第１幅折り線ＦＷ１によって折られた部分は、第１幅折り線ＦＷ１と吸収性物品の長手方向の端縁との間の部分である。折り線ＦＬ１及び幅折り線ＦＷ１，ＦＷ２によって折り畳まれた吸収性物品１０を使用する際は、幅折り線ＦＷ１、ＦＷ２を基点に展開した後に、折り線ＦＬ１を基点に展開する。吸収性物品を展開する過程では、第１幅折り線ＦＷ１によって折り畳まれ、かつ第２幅折り線ＦＷ２を基点に展開した状態となる。この第１幅折り線ＦＷ１によって折り畳まれ、かつ第２幅折り線ＦＷ２を基点に展開した状態において、目印部２０は、第１幅折り線ＦＷ１によって折り畳まれた部分によって覆われ、装着補助者が視認し難い。よって、展開する過程において、装着補助者が誤って装着操作を行うことを抑制できる。装着補助者は、展開状態の吸収性物品を用いて装着操作を行い易く、折り畳まれた状態で装着されたり、装着操作をやり直したりする不具合を抑制し、装着操作を適切に行うことができる。
【００５８】
また、目印部２０は、図２（ａ）に示す展開状態において、折り線ＦＬ１よりも吸収性物品１０の外縁側の被覆領域ＣＲに配置されてよい。被覆領域ＣＲに配置された目印部２０は、非肌面側に向いて配置されており、被覆領域ＣＲがめくれてない状態では視認され難い。よって、目印部２０が吸収性物品の展開状態まで視認され難くなり、展開状態において適切なタイミングで装着操作を促すことができる。
【００５９】
折り線ＦＬ１の少なくとも一部は、吸収コア５０と重なる領域に配置されてよい。折り線の少なくとも一部が吸収コア５０と重なる領域であるため、折り線ＦＬ１による折り癖が付きやすい。よって、折り線ＦＬ１によって折られた被覆領域ＣＲが意図せずに展開することを抑制できる。折り畳み状態から展開状態に至るまでの過程で目印部２０を視認し難くすることができ、吸収性物品の装着操作を適切に行い易くなる。
【００６０】
目印部２０の順序表示部２０Ｎは、所定領域ＰＲに配置されてよい。装着補助者は、順序表示部２０Ｎによって装着操作の順序を把握できる。装着補助者は、展開状態で装着操作の順序を把握するため、装着操作を適切な順序で行い易い。
【００６１】
順序表示部は、１番目を示す第１順序表示部２０Ｎ１と、２番目を示す第２順序表示部２０Ｎ２と、を有している。第２順序表示部２０Ｎ２は、第１順序表示部２０Ｎ１よりも幅方向Ｗの内側に配置されてよい。より好ましくは、第１順序表示部２０Ｎ１は、展開状態において、折り線ＦＬ１よりも吸収性物品１０の内側に配置され、第２順序表示部２０Ｎ２は、展開状態において、折り線ＦＬ１よりも吸収性物品１０の外縁側に配置されてよい。所定領域ＰＲ内の被覆領域ＣＲ（折り線ＦＬ１よりも吸収性物品の内側の領域）は、折り線ＦＬ１を基点に折り畳まれた状態において、折り領域ＦＲによって覆われている。しかし、装着時に折り領域ＦＲが意図せずにめくれ、被覆領域ＣＲに配置された第１順序表示部２０Ｎ１が、意図せずに視認されることがある。しかし、装着補助者は、意図せずに第１順序表示部２０Ｎ１を視認したとしても、最初の操作順序を把握することとなり、操作順序の間違いが生じ難い。
【００６２】
所定領域ＰＲ内における折り領域ＦＲ（折り線ＦＬ１よりも吸収性物品の外側の領域）は、折り線ＦＬ１を基点に折り畳まれる。折り領域ＦＲに配置された第２順序表示部は、折り線ＦＬ１を基点に折り畳まれた状態で非肌面側に向かうように配置されている。よって、装着補助者は、折り畳まれた状態で第２順序表示部２０Ｎ２を視認し難い。すなわち、第１順序表示部２０Ｎ１よりも第２順序表示部２０Ｎ２が視認し難く構成されているため、装着補助者は、操作順序を適切に把握し易くなる。
【００６３】
第１目印部２１は、第１順序表示部２０Ｎ１と物品合わせ部２０Ｑを有し、第２目印部２２は、第２順序表示部２０Ｎ２と身体合わせ部２０Ｐを有してよい。物品合わせ部によって他の吸収性物品に対する適切な位置で配置でき、身体合わせ部によって着用者の適切な位置で配置できる。他の吸収性物品に対する適切な位置で配置した状態で、身体合わせ部によって着用者の適切な位置で配置でき、適切な順序での装着操作を促すことができる。この場合において、身体合わせ部２０Ｐの幅方向Ｗの中心と物品合わせ部２０Ｑの幅方向Ｗの中心は、幅方向Ｗにおいてずれていてよい。具体的には、第１目印部２１の物品合わせ部２０Ｑは、第２目印部２２の身体合わせ部２０Ｐよりも幅方向Ｗの内側に配置されており、第１目印部２１の物品合わせ部２０Ｑの幅方向Ｗの中心と、第２目印部２２の身体合わせ部２０Ｐの幅方向Ｗの中心と、は、幅方向Ｗにおいてずれている。身体合わせ部２０Ｐの幅方向Ｗの中心と物品合わせ部２０Ｑの幅方向Ｗの中心が幅方向においてずれているため、装着補助者が身体合わせ部２０Ｐと物品合わせ部２０Ｑを区別して認識し易く、よりスムーズかつ適切に装着操作を行うことができる。
【００６４】
図１に示すように、第１目印部２１に含まれる物品合わせ部２０Ｑの長手方向の中心２０ＱＬＣは、吸収性物品１０の長手方向Ｌの中心１０ＬＣに対して長手方向Ｌにずれてよい。物品合わせ部２０Ｑによって吸収性物品１０の長手方向の向きを把握し易い。装着補助者は、装着向きを間違えることなく、適切かつスムーズに装着操作を行うことができる。
【００６５】
図１に示すように、物品合わせ部２０Ｑは、第１幅折り線ＦＷ１と第２幅折り線ＦＷ２との長手方向Ｌの中心ＦＷＣＬに対して長手方向Ｌにずれてよい。展開状態において吸収性物品には、第１幅折り線ＦＷ１と第２幅折り線ＦＷ２による折り癖が形成される。装着補助者は、２つの幅折り線ＦＷ１，ＦＷ２に基づいて吸収性物品の全体の向きを確認できる。このとき、物品合わせ部２０Ｑの長手方向の中心２０ＱＬＣが、第１幅折り線ＦＷ１と第２幅折り線ＦＷ２との長手方向Ｌの中心ＦＷＣＬに対して長手方向Ｌにずれているため、物品合わせ部２０Ｑによって吸収性物品１０の長手方向Ｌの向きを把握し易い。装着補助者は、装着向きを間違えることなく、適切かつスムーズに装着操作を行うことができる。
【００６６】
目印部２０の少なくとも一方には、着用者の身体に対する位置合わせ用の身体合わせ部２０Ｐが複数設けられてよい。具体的には、目印部２０には、第２目印部２２に含まれる身体合わせ部２０Ｐと、第３目印部２３に含まれる身体合わせ部２０Ｐと、が設けられている。複数の身体合わせ部２０Ｐは、同一面上において長手方向Ｌにおいて重なっていてよい。長手方向に重なっている状態とは、一方の身体合わせ部の少なくとも一部と、他方の身体合わせ部の少なくとも一部と、が長手方向に沿う同一仮想線上に配置されている状態である。
【００６７】
次いで、このように構成された吸収性物品の装着態様の一例について、図４に基づいて説明する。装着補助者は、吸収性物品１０を展開し、目印部２０を確認する。装着補助者は、最初の順序１を示す順序表示部２０Ｎを含む第１目印部２１を確認し、第１目印部２１に基づく操作、すなわち、パッドを吸収性物品に取り付ける操作を行う（図４（ａ）参照）。このとき、第１目印部２１が物品合わせ部２０Ｑを有するため、吸収性物品とパッドの位置合わせを容易かつ適切に行い易い。次いで、装着補助者は、次の順序２を示す順序表示部２０Ｎを含む第２目印部２２を確認し、第２目印部２２に基づく操作、すなわち、吸収性物品の後胴回り域Ｓ２を着用者の背中に当てる操作を行う。このとき、第２目印部２２が身体合わせ部２０Ｐを有するため、吸収性物品と身体の位置合わせを容易かつ適切に行い易い。
【００６８】
図４（ｂ）に示すように、吸収性物品の後胴回り域Ｓ２に着用者の背中を載せた状態では、吸収コアの幅方向の中心よりも幅方向の外側に配置されたサイドシート４１ｂは、身体によって覆われずに視認可能となり易い。よって、装着補助者は、サイドシートに配置された目印部を容易に認識し、スムーズかつ適切に装着操作を行うことができる。
【００６９】
次いで、装着補助者は、次の順序３を示す順序表示部を含む第３目印部２３を確認し、第３目印部２３に基づく操作、すなわち、吸収性物品の前胴回り域Ｓ１を着用者の腹部に当てる操作を行う。図４（ｃ）は、吸収性物品の後胴回り域を着用者の背中に当て、股下域Ｓ３を着用者の股間部に当て、かつ前胴回り域Ｓ１によって着用者の腹部を覆った状態である。
【００７０】
装着補助者は、展開状態の吸収性物品を装着する際に、長手方向Ｌに視線を移動させ、吸収性物品の長手方向全体に亘って位置合わせを行うことがある。このとき、第２目印部２２の身体合わせ部２０Ｐと第３目印部２３の身体合わせ部２０Ｐが長手方向において重なっているため、装着補助者が肌面側において長手方向に視線を移動させた際に、複数の身体合わせ部２０Ｐを認識し易く、吸収性物品の長手方向全体に亘って位置合わせを行い易い。本実施の形態に係る吸収性物品によれば、装着補助者に対して装着動作を促すことができ、装着補助者はスムーズかつ着用者の適切な位置で操作を適切に行うことができる。次いで、装着補助者がファスニングテープを前胴周り域に止着することによって、吸収性物品の装着操作が完了する。このように、本実施の形態に係る吸収性物品によれば、装着補助者に対して装着動作を促すことができ、装着補助者はスムーズかつ着用者の適切な位置で操作を適切に行うことができる。
【００７１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００７２】
例えば、上記実施形態では、吸収性物品は、大人用の使い捨ておむつである。これに代えて、吸収性物品は、使い捨ておむつに装着する吸収パッドであってもよい。この場合、物品合わせ部は、使い捨ておむつに対する位置合わせのために構成されていてよい。また、吸収性物品は、テープ型の吸収性物品であってもよいし、パンツ型の吸収性物品であってもよい。
【００７３】
吸収性物品の肌面どうしが当接するように吸収性物品を折り畳むための折り線は、幅方向に沿い、かつ長手方向に間隔を空けて一対で配置されてよい。このような形態において、一対の折り線の一方によって折り畳まれ、他方を基点に展開した状態において、第１順序表示部は、一方の折り線によって折られた部分によって覆われてよい。一方の折り線によって折り畳まれ、他方を基点に展開した状態、すなわち展開状態まで展開してない状態において、第１順序表示部は、覆われており、視認され難い。装着補助者は、最初の操作順序を把握できず、装着操作を行わずに、展開操作を継続し易い。装着補助者は、展開状態で第１順序表示部を視認し、操作を開始し易くなる。より好適には、一対の折り線の一方によって折り畳まれ、他方を基点に展開した状態において、第２順序表示部等、第１順序表示部以外の順序表示部が視認可能であることが好ましい。装着補助者は、展開状態まで展開してない状態において、第１順序表示部を視認できず、第１順序表示部以外の順序表示部を視認する。装着補助者は、後の操作順序の目印部を視認することにより、最初の操作順序の存在を認識し、より展開状態まで展開し易くなる。すなわち、装着補助者に適切な順序の操作を促すことができる。
【産業上の利用可能性】
【００７４】
装着操作を適切に行うことができる吸収性物品を提供できる。
【符号の説明】
【００７５】
１０    ：吸収性物品
２０    ：目印部
２０Ｃ  ：文字表示部
２０Ｎ  ：順序表示部
２０Ｐ  ：身体合わせ部
２０Ｑ  ：物品合わせ部
２１    ：第１目印部
２２    ：第２目印部
２３    ：第３目印部
５０    ：吸収コア
Ｌ      ：長手方向
Ｗ      ：幅方向
【図１】
2020116454.tif 000003
【図２】
2020116454.tif 000004
【図３】
2020116454.tif 000005
【図４】
2020116454.tif 000006